(57)【要約】【課題】  画像形成装置において、表示パネルのスクリーンショット印刷又はファイルの保存転送ができないという問題点があった。【解決手段】  本発明の画像形成装置は、表示パネルの画像情報を記録するパネル画像記録部を有し、表示パネルや操作ボタン部のボタンなどからの指示によりその時点で表示パネルに表示されている画像情報を印刷部に送って印刷したり、画像形成装置内や他のサーバ装置などにファイル転送することによって課題を解決した。【選択図】図２
2009118222.tif 000002
【特許請求の範囲】
【請求項１】
各種設定を行う際の表示を行う表示パネルを有する画像形成装置であって、
前記表示パネルに表示された画像を記録するパネル画像記録部と、
前記パネル画像記録部が記録した画像の印刷を行う印刷部と、を有する
ことを特徴とする画像形成装置。
【請求項２】
請求項１の画像形成装置であって、
前記パネル画像記録部が記録した画像のファイル転送を行う制御部を有する
ことを特徴とする画像形成装置。
【請求項３】
請求項１または２の画像形成装置であって、
前記各種設定を行うための操作ボタンを有し、
前記パネル画像記録部が記録した画像の前記印刷の指示及び前記ファイル転送の指示の少なくとも一方を複数の前記操作ボタンを同時に押すことにより行う
ことを特徴とする画像形成装置。
【請求項４】
請求項１から３のいずれかの画像形成装置であって、
前記表示パネルは、前記各種設定を行うための指示ボタンを表示可能であり、前記指示ボタンの押下を検知するタッチパネル機構を有し、前記パネル画像記録部が記録した画像の前記印刷の指示及び前記ファイル転送の指示の少なくとも一方を実行する前記指示ボタンを備えた
ことを特徴とする画像形成装置。
【請求項５】
請求項４の画像形成装置であって、
前記パネル画像記録部が記録した画像の前記印刷及び前記ファイル転送の少なくとも一方を実行する際には、前記パネル画像記録部が記録した画像には前記表示パネルに表示された前記指示ボタンの画像を含めない
ことを特徴とする画像形成装置。
【発明の詳細な説明】
【技術分野】
【０００１】
画像形成装置において、表示パネルに表示された画像を印刷可能とする技術に関するものである。
【背景技術】
【０００２】
複写機などの画像形成装置を使用する際に、例えばＩＰアドレスやＤＮＳのアドレスなどの設定値を確認しておきたい場合などにおける設定の際には、その設定内容は操作部パネルやユーティリティを用いて確認する方法がある。また、印刷結果のプレビュー画面を表示し、プレビュー画面に対し手書きの入力を加えて表示、ないしは印刷する機能をもつ画像形成装置がある（特許文献１参照）。
【０００３】
しかし、これらのいずれの方法でも表示パネルの画面をスクリーンショットとして直接印刷したり保存したりすることはできなかった。
【０００４】
【特許文献１】特開２００６−４１９４７号公報
【発明の開示】
【発明が解決しようとする課題】
【０００５】
解決しようとする問題点は、画像形成装置において操作パネルの画面を直接印刷したりファイルにして保存したりすることはできなかった点である。
【課題を解決するための手段】
【０００６】
本発明の画像形成装置は、各種設定を行う際の表示を行う表示パネルを有する画像形成装置であって、前記表示パネルに表示された画像を記録するパネル画像記録部と、前記パネル画像記録部が記録した画像の印刷を行う印刷部と、を有することを最も主要な特徴とする。
【発明の効果】
【０００７】
本発明の画像形成装置は、各種設定を行う際の表示を行う表示パネルを有する画像形成装置であって、前記表示パネルに表示された画像を記録するパネル画像記録部と、前記パネル画像記録部が記録した画像の印刷を行う印刷部と、を有することを最も主要な特徴とするため、ネットワークアドレス確認時や、文書ボックスのプレビュー画面などを持ち運んで確認したい情報があるときには、ステータスページなどのような形態のメーカによってカスタマイズされた情報でなく、表示パネルの画面をそのままに手軽に印刷することが可能となり、ユーザの利便性が向上した。
【発明を実施するための最良の形態】
【０００８】
画像形成装置において、表示パネルの画像を直接印刷したり、ファイルにして保存したりが出来ないという問題点を表示パネルの画像情報を記録するパネル画像記録部を設けることにより解決した。
【実施例１】
【０００９】
［構成］
図１は、本発明の実施例に係わる画像形成装置の機能ブロック図である。
【００１０】
画像形成装置１０１は、制御部１１１、印刷部１１３、操作パネル部１１５、操作ボタン部１１７、表示パネル１１９、パネル画像記録部１２１の各機能ブロックを有している。
【００１１】
制御部１１１は、画像形成装置１０１全体の制御を行い、パネル画像記録部１２１で記録した表示パネルの画像のファイル転送を行う。ファイル転送先は、画像形成装置１０１内に持つファイルボックス中に記録する方法でも良いし、ネットワークで接続された他の画像形成装置やサーバ装置に転送する方法でもよい。
【００１２】
印刷部１１３は、画像形成装置１０１の印刷を行う機能部である。通常の印刷、複写、ＦＡＸ受信などの際の印刷を行うと共に、パネル画像記録部１２１が記録した表示パネル１１９の画像の印刷を行う。また、印刷に必要な画像処理も印刷部で行われる。
【００１３】
操作パネル部１１５は、操作ボタン部１１７と表示パネル１１９とからなる。画像形成装置１０１の操作を操作パネル部１１５により行う。より詳細な動作は以下に述べる。
【００１４】
操作ボタン部１１７は、操作パネル部１１５に配置されたボタンであり、画像形成装置１０１の複写、印刷、スキャン、ＦＡＸなどの各機能を選択したり、コピーの枚数を設定したり、コピーの実行を指示したりする。
【００１５】
表示パネル１１９は、画像形成装置１０１の設定状態や動作状態を表示するパネルであり、タッチパネル機構がその表面に配されており、表示パネル１１９に表示されたボタン上に指等が触れるのを前記タッチパネルが検知して、該ボタンの機能を実行させるように働く。
【００１６】
パネル画像記録部１２１は、表示パネルに表示された画像情報のビットマップメモリの値を記録したり、表示パネルへの表示がＨＴＭＬ（Hyper Text Markup Language）の場合はＨＴＭＬを記録したりして保存する。保存された画像情報は、印刷部１１３に転送されて印刷されたり、画像形成装置１０１内のファイルボックス中に記録されたり、外部の装置に転送されたりすることが可能となっている。
【００１７】
機能ブロックの説明については、通常の画像形成装置に備わっているスキャナ部やネットワークインターフェースなど本発明の本質に関係ない部分の説明は省略した。
【００１８】
［表示パネルの印刷又はファイル転送］
図２に、表示パネル１１９に表示された操作画面の一例を示す。
【００１９】
図２では、表示の一例として画像形成装置１０１の基本操作についての設定画面が表示されている。画面の右端下部には、パネル表示印刷ボタン１１９ｐ（指示ボタン）及びパネル表示転送ボタン１１９ｆ（指示ボタン）が配されている。パネル表示印刷ボタン１１９ｐを押すことにより、現在表示パネル１１９に表示されている画像情報が印刷部１１３にて印刷される。パネル表示転送ボタン１１９ｆを押すことにより、現在表示パネル１１９に表示されている画像情報が設定されているファイル格納先（画像形成装置内１０１又は他の画像形成装置やサーバ装置など）に転送される。
【００２０】
上記印刷又はファイル転送を行う際には、表示パネル上に表示された前記パネル表示印刷ボタン１１９ｐと前記パネル表示転送ボタン１１９ｆの画像を含むか又は含まないかをあらかじめの設定又は上記ボタン押下後のダイアログボックスでの選択等により指定を行って、印刷又はファイル転送を行うことが可能である。
【００２１】
図３には、操作パネル部１１５の全体図を示す。操作パネル部１１５の中央には表示パネル１１９が配され（表示は省略）、その左側には画像形成装置の機能を選択する機能選択ボタン１１７Ｌが配されている。また、表示パネルの右側には設定のためのテンキーボタンやスタートその他の設定ボタン１１７Ｒが配されている。
【００２２】
図２で用いた表示パネル上のパネル表示印刷ボタン１１９ｐやパネル表示転送ボタン１１９ｆを用いないで（表示パネル１１９には表示を行わないで）、画像形成装置の操作ボタンにより表示パネルの印刷及びファイル転送を行う方法も可能である。
【００２３】
例えばファイル印刷の指示には、「＃」ボタン１１７ｉ（複数のボタンのうちのひとつ）と「スタート」ボタン１１７ｓ（複数のボタンのうちのひとつ）を同時に押すことによって、その時点で表示されている表示パネル１１９の画像情報を印刷部に送って印刷を行う。また、ファイル転送の指示には、「＊」ボタン１１７ｋ（複数のボタンのうちのひとつ）と「スタート」ボタン１１７ｓ（複数のボタンのうちのひとつ）を同時に押すことによって、その時点で表示されている表示パネル１１９の画像情報を制御部１１１が画像形成装置１０１内や、他の画像形成装置や外部のサーバ装置への転送を行う。
【００２４】
［実施例の効果］
本発明実施例の画像形成装置により、表示パネルの画像をそのまま印刷したりファイル転送したりすることが可能となったため、画像形成装置に設定されている情報、例えばＩＰアドレスやＤＮＳ情報などを記録として印刷したものを保持することやファイルとして保存することが可能となった。これにより、画像形成装置の動作の点検のためのメモとして用いたり、又は保守の記録として用いたりすることにより利便性が高くなった。
【００２５】
また、画像形成装置の操作中に不明な点が出てきた場合などに、その時点での表示パネル画面を印刷し、その印刷物を例えばサポートセンターにファックスして不明点を説明する方法などにより、操作における問題の解決がすみやかに行われることとなった。
【００２６】
［その他］
本発明実施例では、本発明の本質に係わる機能ブロックについて説明を行ったが、本発明は、本実施例の構成に限らず画像読取部やＦＡＸ送受信部などの複合機と呼ばれる画像形成装置に一般的に備わっている機能部を含む画像形成装置であっても実施可能であることはいうまでもない。
【００２７】
また、画面のスクリーンショットをファイル転送する場合等は、外部装置とのインターフェースを備えて、外部の画像形成装置やサーバなどと接続可能な構成をとる。また、スクリーンショットを装置内部の文書ボックス等に記録する際には、画像形成装置内に文書記録部を有する。これらの機能部は、従来技術の画像形成装置の構成をそのまま使用するものであり、本発明の本質ではないので、本実施例の機能ブロック図からは省略した。
【図面の簡単な説明】
【００２８】
【図１】本発明実施例の画像形成装置の機能ブロック図である（実施例１）。
【図２】本発明実施例の画像形成装置の表示パネルの表示例の図である（実施例１）。
【図３】本発明実施例の画像形成装置の操作パネル部の平面図である（実施例１）。
【符号の説明】
【００２９】
１０１  画像形成装置
１１１  制御部
１１３  印刷部
１１５  操作パネル部
１１７  操作ボタン部
１１７ｉ  ＃ボタン；（複数のボタン）のうちのひとつ
１１７ｋ  ＊ボタン；（複数のボタン）のうちのひとつ
１１７ｓ  スタートボタン；（複数のボタン）のうちのひとつ
１１９  表示パネル
１１９ｆ  パネル表示転送ボタン（指示ボタン）
１１９ｐ  パネル表示印刷ボタン（指示ボタン）
１２１  パネル画像記録部
【図１】
2009118222.tif 000003
【図２】
2009118222.tif 000004
【図３】
2009118222.tif 000005